(57)【要約】【課題】  本発明は、閃光発光が及ぼす影響を考慮して、人物の顔を好ましく補正できる電子カメラを提供する。【解決手段】  電子カメラは、撮像素子と、顔検出部と、撮影条件取得部と、設定部と、補正部とを備える。撮像素子は、被写体の像を撮像して画像を出力する。顔検出部は、画像から被写体の顔を検出する。撮影条件取得部は、画像に対して顔を補正する美容化補正処理を施すときの撮影条件を求める。設定部は、撮影条件に基づいて、美容化補正処理を施す動作モードでの閃光発光の制御条件を設定する。補正部は、動作モードにおいて、制御条件に応じて撮像された画像に対して、美容化補正処理を行う。【選択図】    図１
2013179464.tif 000002
【特許請求の範囲】
【請求項１】
被写体の像を撮像して画像を出力する撮像素子と、
前記画像から被写体の顔を検出する顔検出部と、
前記画像に対して前記顔を補正する美容化補正処理を施すときの撮影条件を求める撮影条件取得部と、
前記撮影条件に基づいて、前記美容化補正処理を施す動作モードでの閃光発光の制御条件を設定する設定部と、
前記動作モードにおいて、前記制御条件に応じて撮像された画像に対して、前記美容化補正処理を行う補正部と、
を備えることを特徴とする電子カメラ。
【請求項２】
請求項１に記載の電子カメラにおいて、
前記美容化補正処理は、前記顔の肌色領域を強調するダイナミックレンジ拡張補正と、前記顔の暗領域を明るくする暗部補正と、軟焦点調の画像処理を行うソフトフォーカス補正と、前記顔の輪郭を強調する先鋭化補正と、前記顔の露出状態を補正する露出補正と、前記顔の肌色の彩度を調整する彩度補正と、前記顔の領域を痩身化する痩身補正と、前記顔の肌色領域に存在するノイズ成分を低減化するノイズ補正とのうちの少なくとも１つを実行することを特徴とする電子カメラ。
【請求項３】
請求項１又は請求項２に記載の電子カメラにおいて、
前記撮影条件と前記制御条件とが対応付けられたメモリをさらに備え、
前記設定部は、前記メモリを参照することにより、前記制御条件を設定することを特徴とする電子カメラ。
【請求項４】
請求項１から請求項３の何れか１項記載の電子カメラにおいて、
前記設定部は、前記動作モードにおいて、前記閃光発光の発光量を制限する制御条件を設定することを特徴とする電子カメラ。
【請求項５】
請求項４に記載の電子カメラにおいて、
前記設定部は、前記画像に対する撮像感度の値に応じて、前記被写体と背景との明るさを調節する閃光発光の制御条件を設定することを特徴とする電子カメラ。
【請求項６】
請求項４に記載の電子カメラにおいて、
前記顔の領域の輝度分布を検出する輝度検出部と、
前記輝度分布に基づいて、前記顔の領域から影の領域を推定する推定部とをさらに備え、
前記設定部は、前記推定部の推定結果に応じて前記閃光発光の有無を判定し、前記閃光発光を行なう場合には、前記動作モードの非選択時よりも閃光発光の発光量を弱くして閃光発光を強制的に行う制御条件を設定することを特徴とする電子カメラ。
【発明の詳細な説明】
【技術分野】
【０００１】
本発明は、被写体の顔検出機能を有する電子カメラに関する。
【背景技術】
【０００２】
従来から、閃光発光による撮影を行う場合、人物の顔を美しく撮影するため、閃光発光の発光量を適正露出時の発光量よりも増加して被写体の顔を白くする撮影を行う電子カメラが提案されている（例えば、特許文献１参照）。
【先行技術文献】
【特許文献】
【０００３】
【特許文献１】特開２００５−１７３３８６号公報
【発明の概要】
【発明が解決しようとする課題】
【０００４】
しかし、特許文献１の電子カメラでは、撮影シーンによっては、画像内の顔の明るい部分に画素値が飽和していることを示す、いわゆる「白とび」の領域が生じるおそれがある。また、一般的に閃光発光による撮影では、撮影シーンによっては、例えば顔が平面的に写ってしまうことが知られている。そのため、閃光発光による撮影では、撮影後の本画像に対して顔を補正する処理を十分に行えないおそれがある。また、撮影シーンによっては、閃光発光による撮影を行わないと、撮影後の本画像に対して顔を補正する処理を十分に行えないおそれがある。ここで、顔を補正する処理としては、例えば、顔の見映えを良くする画像処理等が該当する。
【０００５】
そこで、本発明は、上記事情に鑑み、閃光発光が及ぼす影響を考慮して、人物の顔を好ましく補正できる電子カメラを提供することを目的とする。
【課題を解決するための手段】
【０００６】
第１の発明に係る電子カメラは、撮像素子と、顔検出部と、撮影条件取得部と、設定部と、補正部とを備える。撮像素子は、被写体の像を撮像して画像を出力する。顔検出部は、画像から被写体の顔を検出する。撮影条件取得部は、画像に対して顔を補正する美容化補正処理を施すときの撮影条件を求める。設定部は、撮影条件に基づいて、美容化補正処理を施す動作モードでの閃光発光の制御条件を設定する。補正部は、動作モードにおいて、制御条件に応じて撮像された画像に対して、美容化補正処理を行うことを特徴とする。
【０００７】
第２の発明は、第１の発明において、美容化補正処理は、顔の肌色領域を強調するダイナミックレンジ拡張補正と、顔の暗領域を明るくする暗部補正と、軟焦点調の画像処理を行うソフトフォーカス補正と、顔の輪郭を強調する先鋭化補正と、顔の露出状態を補正する露出補正と、顔の肌色の彩度を調整する彩度補正と、顔の領域を痩身化する痩身補正と、顔の肌色領域に存在するノイズ成分を低減化するノイズ補正とのうちの少なくとも１つを実行する。
【０００８】
第３の発明は、第１又は第２の発明において、撮影条件と制御条件とが対応付けられたメモリをさらに備える。設定部は、メモリを参照することにより、制御条件を設定する。
【０００９】
第４の発明は、第１から第３の何れか１の発明において、設定部は、動作モードにおいて、閃光発光の発光量を制限する制御条件を設定する。
【００１０】
第５の発明は、第４の発明において、設定部は、画像に対する撮像感度の値に応じて、被写体と背景との明るさを調節する閃光発光の制御条件を設定する。
【００１１】
第６の発明は、第４の発明において、輝度検出部と、推定部とをさらに備える。輝度検出部は、顔の領域の輝度分布を検出する。推定部は、輝度分布に基づいて、顔の領域から影の領域を推定する。設定部は、推定部の推定結果に応じて閃光発光の有無を判定し、閃光発光を行なう場合には、動作モードの非選択時よりも閃光発光の発光量を弱くして閃光発光を強制的に行う制御条件を設定する。
【発明の効果】
【００１２】
本発明の電子カメラは、撮影条件に基づいて、美容化補正処理を施す動作モードでの閃光発光の制御条件を設定する。よって、本発明の電子カメラは、閃光発光が及ぼす影響を考慮して、人物の顔を好ましく補正できる。
【図面の簡単な説明】
【００１３】
【図１】本実施形態の電子カメラ１の構成を説明するブロック図
【図２】美容化補正処理モード（撮影条件１〜３）における電子カメラ１の動作の一例を示すフローチャート
【図３】本実施形態のテーブルメモリ１００の一例を説明する図
【図４】美容化補正処理モード（撮影条件４）における電子カメラ１の動作の一例を示すフローチャート
【図５】推定部２５ｅによる影の領域を推定する処理を説明する図
【図６】モデルモードで撮影して得られた本画像の一例を説明する図
【発明を実施するための形態】
【００１４】
以下、図面に基づいて本発明の実施の形態を詳細に説明する。図１は、本実施形態の電子カメラ１の構成を説明するブロック図である。ここで、本実施形態の電子カメラ１は、撮像により生成した本画像内の顔を美しく補正するメイクアップモード（以下「美容化補正処理モード」という）を有する。美容化補正処理モードは、ポートレートモードや風景モード等の既存のシーンモードと独立に備えられる。美容化補正処理モードでは、閃光発光による撮影を制御することにより、顔を美容化する補正処理をより高めることができる。美容化補正処理モードの具体的な内容については、後述する。
【００１５】
電子カメラ１は、図１に示す通り撮影光学系１０と、レンズ駆動部１１と、絞り１２と、絞り駆動部１３と、撮像素子１４と、信号処理部１５と、ＲＡＭ（Ｒａｎｄｏｍ  Ａｃｃｅｓｓ  Ｍｅｍｏｒｙ）１６と、画像処理部１７と、ＲＯＭ（Ｒｅａｄ  Ｏｎｌｙ  Ｍｅｍｏｒｙ）１８と、記録インターフェース部（以下「記録Ｉ／Ｆ部」という）１９と、表示モニタ２０と、操作部２1と、レリーズ釦２２と、閃光装置２３と、加速度センサ２４とＣＰＵ（Ｃｅｎｔｒａｌ  Ｐｒｏｃｅｓｓｉｎｇ  Ｕｎｉｔ）２５と、データバス２６とを備える。
【００１６】
このうちＲＡＭ１６、画像処理部１７、ＲＯＭ１８、記録Ｉ／Ｆ部１９、表示モニタ２０及びＣＰＵ２５は、データバス２６を介して互いに接続されている。また、操作部２１、レリーズ釦２２、閃光装置２３及び加速度センサ２４は、ＣＰＵ２５に接続されている。
【００１７】
撮像光学系１０は、ズームレンズと、フォーカスレンズと、手振れを補正する補正レンズとを含む複数のレンズ群で構成されている。レンズ駆動部１１は、撮像光学系１０内でズームレンズやフォーカスレンズのレンズ位置をＣＰＵ２５の指示に応じて光軸方向に調整する。また、レンズ駆動部１１は、ＣＰＵ２５の指示に応じて手振れを打ち消す方向に補正レンズを動かすことによって光軸を補正する。なお、簡単のため、図１では、撮像光学系１１を１枚のレンズとして図示する。
【００１８】
絞り１２は、撮像素子１４に入射する単位時間当たりの光量を調節する。絞り駆動部１３は、絞り１２の開口量をＣＰＵ２５の指示に応じて調整する。
【００１９】
撮像素子１４は、撮像光学系１１及び絞り１２を通過した被写体像を撮像し、アナログの画像信号（画像）を出力する。そして、撮像素子１４が出力するアナログの画像信号は、信号処理部１５に入力される。なお、撮像素子１４の撮像面には、Ｒ（赤）、Ｇ（緑）Ｂ（青）の３種類のカラーフィルタが例えばベイヤー配列で配置されている。また、撮像素子１４の電荷蓄積時間及び画像信号の読み出しは、タイミングジェネレータ（不図示）によって制御される。
【００２０】
ここで、撮像素子１４は、電子カメラの撮影モードにおいて、後述のレリーズ釦２２の全押し操作に応答して記録用の静止画像（本画像）を撮像する。また、撮像素子１４は、撮影待機時にも所定間隔毎に構図確認用の画像（スルー画像）を連続的に撮像する。
【００２１】
なお、撮像素子１４は、ＣＣＤ（Ｃｈａｒｇｅ  Ｃｏｕｐｌｅｄ  Ｄｅｖｉｃｅ）型又はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型のイメージセンサである。
【００２２】
信号処理部１５は、撮像素子１４が出力する画像信号に対してアナログ信号処理を施すアナログフロントエンド回路（ＡＦＥ）と、そのＡＦＥでアナログ信号処理が施された画像信号に対して、デジタル信号処理を施すデジタルフロントエンド回路（ＤＦＥ）とを有する。信号処理部１５のＡＦＥは、アナログの画像信号に対して相関二重サンプリングやゲイン調整をした後、アナログの画像信号をデジタルの画像信号に変換する（Ａ／Ｄ変換）処理等を行う。ここで、信号処理部１５のＡＦＥは、画像信号のゲインを調整することで、ＩＳＯ感度に相当する撮像感度を調整できる。
【００２３】
また、信号処理部１５のＤＦＥは、Ａ／Ｄ変換されたデジタルの画像信号の補正処理等を行う。この信号処理部１５が出力する画像信号は、ＲＧＢ信号の画像データとしてＲＡＭ１６に一時的に記録される。ＲＡＭ１６は、画像データを一時的に記録するバッファメモリである。
【００２４】
画像処理部１７は、ＲＡＭ１６に記録されている画像データを読み出し、必要に応じて各種の画像処理（例えば、色補間処理、ホワイトバランス等）を施す。
【００２５】
また、画像処理部１７は、撮影待機時において、スルー画像を例えばモニタ表示用としてＮＴＳＣ方式のビデオ信号のビュー画像に変換する。そして、画像処理部１７は、所定のフレームレート（例えば、３０ｆｐｓ）でビュー画像を表示モニタ２０に出力する。また、画像処理部１７は、記録媒体３０に画像データを記録する前に、例えば、ＪＰＥＧ（Ｊｏｉｎｔ  Ｐｈｏｔｏｇｒａｐｈｉｃ  Ｅｘｐｅｒｔｓ  Ｇｒｏｕｐ）形式等で圧縮する処理を行う。また、画像処理部１７は、記録媒体３０に圧縮された画像データの伸長及び復元の処理も実行する。
【００２６】
また、画像処理部１７は、美容化補正処理モードの実行時において、本画像に対して美容化補正処理を施す。この美容化補正処理は、美肌化、痩身化等により被写体の顔を美しく見せるための画像処理である。なお、画像処理部１７は、以下に示す少なくとも１つの画像処理をＣＰＵ２５の指示或いはユーザからの選択入力により行う。
（１）ダイナミックレンジ拡張補正
画像処理部１７は、例えば、本画像内の明るい部分の階調を圧縮して肌色領域を強調するダイナミックレンジ拡張補正を行なう。具体的には、画像処理部１７は、画像データに対して公知のＤＲＣ（Ｄｙｎａｍｉｃ  Ｒａｎｇｅ  Ｃｏｍｐｒｅｓｓｉｏｎ：階調分布補正）を行うことにより、顔の肌色をより明るくする補正を施す。
（２）暗部補正
画像処理部１７は、顔の暗領域を明るくする補正を行う。具体的には、画像処理部１７は、画像データから顔領域の輝度分布を解析する。そして、画像処理部１７は、顔の暗領域に階調補正を行うことにより、顔の暗い部分を明るくする。
（３）ソフトフォーカス処理
画像処理部１７は、ソフトフォーカス処理を行う。ソフトフォーカス処理では、軟焦点調の画像処理が行われる。具体的には、画像処理部１７は、例えば、所定のソフトフォーカス効果を示すフィルタやローパスフィルタ等の処理を本画像に施す。
【００２７】
なお、画像処理部１７は、本画像の内でソフトフォーカス処理を行う顔の領域をマスク画像として生成し、フィルタ処理後のマスク画像と本画像（マスク画像以外の部分）とを合成することによりソフトフォーカス処理を行っても良い。上記のソフトフォーカス処理により、画像処理部１７は、被写体が女性である場合、女性らしさを強調するとともに、柔らかみのある好ましい画像を生成することができる。
（４）先鋭化処理
画像処理部１７は、被写体の顔の輪郭を強調する先鋭化処理を施す。例えば、画像処理部１７は、先鋭化処理の１つであるアンシャープマスク処理を行って、顔の輪郭を強調する。このアンシャープマスク処理により、画像処理部１７は、顔がはっきりとした画像を生成することができる。
（５）露出補正
画像処理部１７は、例えば、画像の露出をオーバー側に補正する露出補正を行う。この露出補正により、画像処理部１７は、被写体（女性）の肌が白く表現された好ましい画像を生成することができる。
（６）彩度補正
画像処理部１７は、画像データを解析して彩度のパラメータを補正する。この彩度補正により、画像処理部１７は、肌を白く表現した画像を生成することができる。
（７）痩身補正
画像処理部１７は、画像に含まれる人物を痩身に見せる補正を行う。例えば、画像処理部１７は、特開２００４−２６４８９３号公報の技術を用いることにより、顔の輪郭を補正して頬を細く見せるようにしても良い。
（８）ノイズ低減化処理
画像処理部１７は、顔の肌色の領域に存在するノイズ成分を低減化する。例えば、画像処理部１７は、肌色領域のノイズ成分を低減化するローパスフィルタ等を用いてノイズの低減化処理を行う。画像処理部１７は、このノイズの低減化処理により、被写体のしわや、ニキビ等の凹凸感、肌荒れ等が目立ちにくい好ましい画像を生成することができる。
【００２８】
なお、本実施形態の美容化補正処理は、単純に女性の見映えを良くするだけのものではなく、顔を明るく、好ましく補正することができる。したがって、本実施形態の美容化補正処理は、被写体が男性や子供である場合にも有用である。
【００２９】
ＲＯＭ１８は、電子カメラ１の制御を行うプログラム等を予め記憶している不揮発性のメモリである。また、ＲＯＭ１８には、美容化補正処理モードで使用されるテーブルメモリが予め記憶されている。このテーブルメモリの内容の詳細については、後述する。
【００３０】
記録Ｉ／Ｆ部１９には、着脱自在の記録媒体３０を接続するためのコネクタ（不図示）が形成されている。そして、記録Ｉ／Ｆ部１９は、そのコネクタに接続された記録媒体３０にアクセスして画像の記録処理等を行う。この記録媒体３０は、例えば、不揮発性のメモリカードである。図１では、コネクタに接続された後の記録媒体３０を示している。
【００３１】
表示モニタ２０は、ＣＰＵ２５の指示に応じて各種画像や電子カメラ１の操作メニュー等を表示する。なお、表示モニタ２０には、液晶のモニタ等を適宜選択して用いることができる。
【００３２】
操作部２１は、ユーザの操作を受け付ける複数の釦を有している。レリーズ釦２２は、例えば、プログラムオート（Ｐｒｏｇｒａｍ  Ａｕｔｏ）撮影の場合、半押し操作（撮影前における自動露出（ＡＥ：Ａｕｔｏｍａｔｉｃ  Ｅｘｐｏｓｕｒｅ）、自動焦点合わせ（ＡＦ：Ａｕｔｏ  Ｆｏｃｕｓ）等の動作開始）の指示入力と全押し操作（撮像動作開始）との指示入力とを受け付ける。
【００３３】
閃光装置２３は、キセノン発光管、発光用のエネルギを蓄えるメインコンデンサ、発光タイミングや光量を調整する発光制御回路等から構成されている。閃光装置２３は、閃光発光の制御条件に基づいて、閃光を発光する。
【００３４】
加速度センサ２４は、電子カメラ１に対する振動の方向及び大きさを検知する。検知した信号は、ＣＰＵ２５に送信される。
【００３５】
ＣＰＵ２５は、各種演算及び電子カメラ１の制御を行うプロセッサである。ＣＰＵ２５は、ＲＯＭ１８に予め格納されたシーケンスプログラムを実行することにより、電子カメラ１の各部の制御等を行う。例えば、ＣＰＵ２５は、手振れ補正の制御のため、加速度センサ２４から受信した検知信号に基づいて、レンズ駆動部１１に補正レンズを動かす指示を出す。また、ＣＰＵ２５は、閃光装置２３に指示を出して本発光に先立つ予備発光をさせる。これにより、ＣＰＵ２５は、撮像素子１４で受光した予備発光の反射光に基づいて、被写体距離を算出する。この被写体距離の情報は、例えば、後述する撮影条件４で閃光発光の撮影を行うか否かの判断に用いられる。
【００３６】
また、ＣＰＵ２５は、顔検出部２５ａ、撮影条件取得部２５ｂ、設定部２５ｃ、輝度検出部２５ｄ及び推定部２５ｅとしても機能する。
【００３７】
顔検出部２５ａは、例えば、スルー画像又は本画像から特徴点（特徴量）を抽出して顔領域、顔領域の大きさ（顔面積）等を検出する。例えば、顔検出部２５ａは、特開２００１−１６５７３号公報等に記載された特徴点抽出処理によって顔領域を抽出する。上記の特徴点としては、例えば、眉、目、鼻、唇の各端点、顔の輪郭点、頭頂点や顎の下端点等が挙げられる。そして、顔検出部２５ａは、顔領域の位置情報を特定する。例えば、顔検出部２５ａは、画像の横方向をＸ軸、縦方向をＹ軸とし、顔領域に含まれる画素のＸ座標及びＹ座標を算出する。さらに、顔検出部２５ａは、例えば、特開２００４−２２２１１８号公報等に記載された特徴点を用いた演算処理によって、検出した人物の人種、年齢、性別等を判別する。
【００３８】
撮影条件取得部２５ｂは、被写体の顔を補正する美容化補正処理を施すときの撮影条件を求める。詳細は後述する。設定部２５ｃは、その撮影条件に基づいて、美容化補正処理モードでの閃光発光の制御条件を設定する。ここで、設定部２５ｃは、閃光発光の発光量を制限する制御条件を設定する。
【００３９】
具体的には、設定部２５ｃは、後述するテーブルメモリ１００を参照することにより、閃光発光の発光量を制限する制御条件を設定する。例えば、設定部２５ｃは、美容化補正処理モードにおいて、撮影条件のうち撮像感度（ＩＳＯ感度）の値に応じて、被写体と背景との明るさを調節するスローシンクロ発光の制御条件を設定する。本実施形態におけるスローシンクロ発光による撮影では、シャッタスピードを通常（美容化補正処理モードの非選択時）のプログラムオート撮影時よりも遅くすると共に、閃光発光の発光量を抑制する。
【００４０】
また、設定部２５ｃは、撮影条件に基づいて、通常のプログラムオート撮影では閃光発光する場合であっても、閃光発光を禁止する制御条件を設定する。また、設定部２５ｃは、閃光発光の制御条件に応じて、撮影条件のパラメータを変更しても良い。
【００４１】
輝度検出部２５ｄは、撮像素子１４が出力するスルー画像に基づいて、顔検出部２５ａが検出した顔の領域の輝度分布を検出する。推定部２５ｅは、輝度分布に基づいて、顔の領域から影の領域を推定する。この場合、設定部２５ｃは、推定部２５ｅの推定結果に応じて、推定部の推定結果に応じて閃光発光の有無を判定し、閃光発光を行なう場合には、美容化補正処理モードの非選択時よりも閃光発光の発光量を弱くして閃光発光を強制的に行う制御条件を設定する。
【００４２】
次に、本実施形態の美容化補正処理モードにおける電子カメラ１の動作の一例を説明する。図２、図４は、美容化補正処理モードにおける電子カメラ１の動作の一例を示すフローチャートである。図３は、本実施形態のテーブルメモリ１００の一例を説明する図である。テーブルメモリ１００は、美容化補正処理モードの実行時に参照されるテーブルメモリであって、撮影条件と閃光発光の制御条件とが対応付けられている。これにより、設定部２５ｃは、撮影条件に基づいて、種々の制御条件を設定することができる。
【００４３】
本実施形態では、テーブルメモリ１００に示す撮影条件１〜４の場合について、電子カメラ１の動作の一例を説明する。なお、撮影条件１〜４は一例であって、本実施形態がこれらの撮影条件に限定されるのではない。
【００４４】
また、本実施形態では、通常（美容化補正処理モードの非選択時）のプログラムオート撮影において、閃光発光を行う被写体の明るさ（閾値）は以下のように設定される。例えば、ＡＥ演算に基づく撮影パラメータが、ＩＳＯ感度の値：１００、絞り値：Ｆ２．８、シャッタスピード：１／３０秒の組み合わせとなる被写体の明るさ以下の場合、プログラムオート撮影でＣＰＵ２５は、閃光装置２３に閃光発光を行わせる。
【００４５】
一方、美容化補正処理モード下での撮影の場合、プログラムオート撮影と比べて、閃光発光を行うときの閾値は低く設定される。
【００４６】
なお、図３のテーブルメモリ１００の各欄は、それぞれ以下の事項を示している。撮影条件の欄は、後述の撮影条件１から４を場合分けしている。また、被写体の明るさの欄において、撮影条件１から３では、半押し時に算出された撮影パラメータのうち、ＩＳＯ感度の条件について記載している。また、被写体の明るさの欄において、撮影条件４では、被写体の顔に影がある場合の条件について記載している。
【００４７】
また、ユーザ設定の欄は、ユーザによるＩＳＯ感度の設定状態について記載している。また、美容化補正処理モードでの制御条件の欄は、具体的な制御条件について記載している。
＜撮影条件１＞
先ず、撮影条件１の場合の適用例について説明する。ここで、電子カメラ１の電源がオンされた後、図１に示す操作部２１が、美容化補正処理モードの指示入力を受け付けると、ＣＰＵ２５は、図２に示すフローの処理を開始させる。
【００４８】
ステップＳ１０１：ＣＰＵ２５は、撮像素子１４を駆動させてスルー画像の撮像を開始する。その後、ＣＰＵ２５は、所定のフレームレート（例えば、３０ｆｐｓ）で撮像素子１４にスルー画像を生成させる。そして、ＣＰＵ２５は、スルー画像から生成されたビュー画像を表示モニタ２０に動画表示させる。
【００４９】
さらに、ＣＰＵ２５の顔検出部２５ａは、撮像素子１４が時系列に出力するスルー画像から顔を検出し続ける。なお、本実施形態では、顔検出部２５ａが顔を検出したときに、ＣＰＵ２５が美容化補正処理モードを起動するようにしても良い。
【００５０】
ステップＳ１０２：ＣＰＵ２５は、レリーズ釦２２が半押しされたか否かを判定する。
レリーズ釦２２が半押しされた場合（ステップＳ１０２：Ｙｅｓ）、ＣＰＵ２５は、ステップＳ１０３の処理に移行する。一方、レリーズ釦２２が半押しされていない場合（ステップＳ１０２：Ｎｏ）、ＣＰＵ２５は、ステップＳ１０１の処理に戻る。
【００５１】
ステップＳ１０３：ＣＰＵ２５の撮影条件取得部２５ｂは、スルー画像のデータを用いて、公知のコントラスト検出によるオートフォーカス（ＡＦ）制御を実行する。この際、ＣＰＵ２５は、レンズ駆動部１１を介して、撮像光学系１０内のレンズ位置を光軸方向に調整する。また、撮影条件取得部２５ｂは、スルー画像のデータを用いて、公知の自動露出（ＡＥ）の演算を実行する。撮影条件取得部２５ｂは、自動露出（ＡＥ）の演算結果に基づいて、撮影パラメータ（ＩＳＯ感度の値、絞り値、シャッタスピード等）を本画像の撮影条件として算出する。なお、撮影条件１では、絞り値はＦ２．８、シャッタスピードは１／２秒とする。
【００５２】
ステップＳ１０４：ＣＰＵ２５は、半押し操作時に算出された撮影パラメータ（ステップＳ１０３）が、通常のプログラムオート撮影で閃光発光する条件に該当するか否かを判定する。上記要件を満たさない場合（ステップＳ１０４：Ｎｏ）、ＣＰＵ２５は、ステップＳ１０８の処理に移行する。この理由は、通常のプログラムオート撮影でも閃光発光する必要がないためである。
【００５３】
一方、上記要件を満たす場合（ステップＳ１０４：Ｙｅｓ）、ＣＰＵ２５は、ステップＳ１０５の処理に移行する。
【００５４】
ステップＳ１０５：ＣＰＵ２５の設定部２５ｃは、図３のテーブルメモリ１００を参照する。ここで、ＡＥ演算により算出した被写体の明るさが、ＩＳＯ感度の値：１００、絞り値：Ｆ２．８、シャッタスピード：１／３０秒の組み合わせの場合、設定部２５ｃは、撮影条件１（ａ）の欄を参照する。撮影条件１（ａ）の場合、ユーザが設定したＩＳＯ感度は、オートである（ユーザ設定の欄参照）。したがって、設定部２５ｃは、ユーザが設定したＩＳＯ感度がオートのときに、ＡＥ演算により算出したＩＳＯ感度の値（被写体の明るさの欄参照）が１００であれば、閃光発光を行わない（禁止する）制御条件を選択する。この場合、ＣＰＵ２５は、加速度センサ２４の検知信号に基づいて手振れ補正を行う。
【００５５】
一方、ＡＥ演算により算出した被写体の明るさが、撮影条件１（ａ）よりもさらに暗くなる撮影パラメータの組み合わせの場合、設定部２５ｃは、撮影条件１（ｂ）を参照する。この場合、ＣＰＵ２５は、閃光発光は行なわず、加速度センサ２４の検知信号に基づいて手振れ補正を行う。さらに、撮影条件１（ｂ）が選択される条件において、ＩＳＯ感度の値が６００以上の場合、ＣＰＵ２５は、本画像取得時に信号処理部１５のＤＦＥにノイズリダクションの処理を行わせる指示を出すこととする。この理由は、ＩＳＯ感度の値を上げたことによって発生するノイズ成分を除去するためである。したがって、ＣＰＵ２５は、本画像取得時に画像信号に対してノイズリダクションの処理を行う。
【００５６】
ステップＳ１０６：ＣＰＵ２５は、閃光発光しない場合（ステップＳ１０６：Ｎｏ）、ステップＳ１０８の処理に移行する。一方、ＣＰＵ２５は、閃光発光する場合（ステップＳ１０６：Ｙｅｓ）、ステップＳ１０７の処理に移行する。
【００５７】
ステップＳ１０７：ＣＰＵ２５は、閃光発光をする場合の制御条件を設定する。ただし、撮影条件１（ａ）及び撮影条件１（ｂ）の場合、ＣＰＵ２５は、閃光発光を禁止するため、このステップＳ１０７の処理は行われない。
【００５８】
ステップＳ１０８：ＣＰＵ２５は、レリーズ釦２２を介して全押し操作の指示入力を受け付けると、本画像を取得する処理に移行する。具体的には、ＣＰＵ２５は、撮影パラメータに基づいて、絞り１２の絞り値、撮像素子１４での電荷蓄積時間（シャッタスピード）、信号処理部１５のゲイン（ＩＳＯ感度）等の各パラメータをそれぞれ設定する。その後、ＣＰＵ２５は、撮像素子１４を駆動して本画像のアナログの画像信号を生成させる。信号処理部１５は、アナログの画像信号のＡ／Ｄ変換等を行う。この信号処理部１５が出力するデジタルの画像信号は、ＲＡＭ１６に記録用の画像データとして一旦記録される。
【００５９】
ステップＳ１０９：ＣＰＵ２５は、表示モニタ２０に本画像を表示させる。これにより、ユーザは、表示モニタ２０に表示された本画像の顔を見て、例えば、上記の美容化補正処理モードにおける（１）〜（８）の画像処理のうち、どの画像処理を行うか操作部２１を介して選択することができる。ユーザは、複数の画像処理を選択しても良い。
【００６０】
ステップＳ１１０：ＣＰＵ２５は、操作部２１を介してユーザからの選択入力を受け付ける。
【００６１】
ステップＳ１１１：ＣＰＵ２５は、ユーザからの選択入力を受け付けた後、画像処理部１７は、選択された画像処理を行う。そして、ＣＰＵ２５は、補正後の本画像を表示モニタ２０に表示させる。
【００６２】
ステップＳ１１２：ＣＰＵ２５は、補正後の本画像の画像データを記録媒体３０に記録する。そして、ＣＰＵ２５は、図２に示すフローを終了させる。
【００６３】
以上より、撮影条件１において、通常のプログラムオート撮影の場合、ＣＰＵ２５は、閃光発光させる。しかし、美容化補正処理モード下での撮影の場合、ＣＰＵ２５は、ＩＳＯ感度の値を上げることにより閃光発光を行わない。これにより、画像処理部１７は、閃光発光による影響を受けずに、人物の顔を美容化する画像処理を行うことができる。
＜撮影条件２＞
次に、撮影条件２の場合の適用例について説明する。撮影条件２では、ユーザがマニュアル設定によりＩＳＯ感度の値を１００に設定した場合について例示する。撮影条件２の場合、絞り値はＦ２．８、シャッタスピードは１／２秒とする。なお、撮影条件２でも図２に示すフローチャートを流用する。ここで、ステップＳ１０１からステップＳ１０４までの処理は、撮影条件１の場合と同様であるので、説明を省略する。
【００６４】
ステップＳ１０５：ＣＰＵ２５の設定部２５ｃは、図３のテーブルメモリ１００を参照する。ここで、ＡＥ演算により算出した被写体の明るさが、ＩＳＯ感度の値：１００、絞り値：Ｆ２．８、シャッタスピード：１／３０秒の組み合わせの場合、設定部２５ｃは、撮影条件２（ａ）の欄を参照する。撮影条件２（ａ）の場合、ユーザが設定したＩＳＯ感度の値は、１００である（ユーザ設定の欄参照）。したがって、設定部２５ｃは、ユーザが設定したＩＳＯ感度の値が１００のときに、ＡＥ演算により算出したＩＳＯ感度の値（被写体の明るさの欄参照）が１００であれば、閃光発光を行わない（禁止する）制御条件を選択する。この場合、ＣＰＵ２５は、加速度センサ２４の検知信号に基づいて手振れ補正を行う。
【００６５】
一方、ＡＥ演算により算出した被写体の明るさが、撮影条件２（ａ）よりもさらに暗くなる撮影パラメータの組み合わせの場合、設定部２５ｃは、撮影条件２（ｂ）を参照する。この場合、ＩＳＯ感度の設定を上げないと撮影が困難なため、ＣＰＵ２５は、以下の処理を行う。すなわち、ＣＰＵ２５は、例えば、表示モニタ２０に「閃光発光すると美容化補正処理モードに適さない場合があります。ＩＳＯ感度の設定を解除して、閃光発光なしで撮影することをお勧めします」等のメッセージを表示する。そして、ＣＰＵ２５は、操作部２１を介して、ユーザからの選択入力を受け付ける。
【００６６】
ステップＳ１０６：ＣＰＵ２５は、閃光発光の有無を判定する。設定部２５ｃが、撮影条件２（ａ）の閃光発光を行わない制御条件を選択した場合（ステップＳ１０６：Ｎｏ）、ＣＰＵ２５は、ステップＳ１０８の処理に移行する。また、ＣＰＵ２５は、ＩＳＯ感度の設定を解除する選択入力を受け付けた場合には、閃光発光を行わないため（ステップＳ１０６：Ｎｏ）、ステップＳ１０８の処理に移行する。また、ＣＰＵ２５は、ＩＳＯ感度の設定を解除しない選択入力を受け付けた場合には、閃光発光を行うため（ステップＳ１０６：Ｙｅｓ）、ステップＳ１０７の処理に移行する。
【００６７】
ステップＳ１０７：設定部２５ｃは、撮影条件２（ａ）の場合、ＩＳＯ感度の値を１００に設定する。また、設定部２５ｃは、撮影条件２（ｂ）が選択される条件において、ＩＳＯ感度の設定を解除しない選択入力を受け付けた場合にも、ＩＳＯ感度の値を１００に設定する。
【００６８】
ステップＳ１０８：ＣＰＵ２５は、レリーズ釦２２を介して全押し操作の指示入力を受け付けると、本画像を取得する処理に移行する。ここで、ＣＰＵ２５は、閃光発光を行う場合、ＩＳＯ感度の値を１００（ユーザ設定値）で行う。一方、撮影条件２（ｂ）が選択される条件において、ＩＳＯ感度の設定を解除する選択入力を受け付けた場合、ＣＰＵ２５は、閃光発光を行わない。この場合、ＣＰＵ２５は、ＩＳＯ感度の値を上げて閃光発光せずに撮影を行なう。さらに、撮影条件２（ｂ）が選択される条件において、ＩＳＯ感度の値が６００以上の場合、ＣＰＵ２５は、本画像取得時に画像信号に対してノイズリダクションの処理を行う。なお、ステップＳ１０９〜ステップＳ１１２の処理は、撮影条件１の場合と同様であるので説明を省略する。そして、ＣＰＵ２５は、図２に示すフローを終了させる。
【００６９】
以上より、撮影条件２において、ユーザがＩＳＯ感度の値を予めマニュアル設定している。しかし、美容化補正処理モード下の撮影では、ＣＰＵ２５は、必要に応じてユーザ設定を解除して、ＩＳＯ感度の値を上げることで閃光発光による撮影を回避することができる。したがって、ユーザ設定が解除された場合、画像処理部１７は、閃光発光による影響を受けずに、人物の顔を美容化する画像処理を行うことができる。
＜撮影条件３＞
次に、撮影条件３の場合の適用例について説明する。撮影条件３では、例えば夜間での撮影であって、ユーザのＩＳＯ感度の設定が自動設定になっている（ユーザ設定の欄参照）。撮影条件３の場合、例えば、閃光発光せずにＩＳＯ感度の値を上げる撮影が好ましくない状況に相当する。撮影条件３の場合において、ユーザは、スローシンクロ発光をするためのスローシンクロモードを選択することができる。なお、撮影条件３でも図２に示すフローチャートを流用する。
【００７０】
ステップＳ１０１：ＣＰＵ２５は、撮像素子１４を駆動させてスルー画像の撮像を開始する。ＣＰＵ２５の顔検出部２５ａは、スルー画像から顔を検出し続ける。
【００７１】
さらに、図２のフローには示していないが、画像処理部１７は、スルー画像の画像データからホワイトバランスに基づく色温度を算出する。そして、ＣＰＵ２５は、色温度に基づいて、例えば、夜間の撮影であると判断する。
【００７２】
ここで、ステップＳ１０２からステップＳ１０４までの処理は、撮影条件１の場合と同様であるので、説明を省略する。
【００７３】
ステップＳ１０５：ＣＰＵ２５の設定部２５ｃは、図３のテーブルメモリ１００を参照する。ここで、ＡＥ演算により算出した被写体の明るさが、ＩＳＯ感度を上げても閃光発光なしでは好ましく撮影できない場合、設定部２５ｃは、撮影条件３の欄を参照する。この場合、ＣＰＵ２５は、表示モニタ２０にスローシンクロ発光を示すアイコンを表示させる。ＣＰＵ２５は、操作部２１を介して、ユーザからのスローシンクロ発光による撮影の選択入力を受け付ける。スローシンクロモードの設定がなされた場合、ＣＰＵ２５は、例えば、表示モニタ２０に「三脚を使用しないと、背景にブレを生じるおそれがあります。」等のメッセージを表示する。
【００７４】
また、被写体の撮影現場がかなり暗く、閃光発光を行う撮影が好ましい場合、ＣＰＵ２５は、表示モニタ２０にスローシンクロ発光を示すアイコンを表示させず、設定部２５ｃは、通常のプログラムオートの撮影による閃光発光の制御条件を設定するようにしても良い。なお、撮影条件３では、被写体（人物）が近距離でない場合（２、３ｍ以上）、ＣＰＵ２５は、表示モニタ２０にスローシンクロ発光を示すアイコンを表示させず、スローシンクロモードを起動しないこととする。
【００７５】
ステップＳ１０６：ＣＰＵ２５は、撮影条件３の場合、閃光発光を行うため、ステップＳ１０７の処理に移行する。
【００７６】
ステップＳ１０７：設定部２５ｃは、スローシンクロモードの設定がなされている場合、そのスローシンクロモードの制御条件を設定する。また、設定部２５ｃは、スローシンクロモードの設定がなされていない場合、通常のプログラムオート撮影での制御条件を設定する。
【００７７】
ステップＳ１０８：ＣＰＵ２５は、レリーズ釦２２を介して全押し操作の指示入力を受け付けると、本画像を取得する処理に移行する。なお、ステップＳ１０９〜ステップＳ１１２の処理は、撮影条件１の場合と同様であるので説明を省略する。そして、ＣＰＵ２５は、図２に示すフローを終了させる。
【００７８】
以上より、撮影条件３において、閃光発光せずにＩＳＯ感度の値を上げる撮影が好ましくない場合、ユーザは、スローシンクロ発光による撮影を選択することができる。スローシンクロ発光では、通常の閃光発光の撮影より、背景を生かした雰囲気のある画像が得られる。これにより、画像処理部１７は、背景を生かしつつ顔を美容化する処理を行うことができる。
＜撮影条件４＞
次に、撮影条件４の場合の適用例について説明する。撮影条件４の場合、例えば、晴天下の撮影であって、通常のプログラムオート撮影で閃光発光を行わないものの、例えば、顔の中に影ができる状況に相当する。以下、図４に示すフローチャート用いて説明する。
【００７９】
ステップＳ２０１：ＣＰＵ２５は、撮像素子１４を駆動させてスルー画像の撮像を開始する。ＣＰＵ２５の顔検出部２５ａは、スルー画像から顔を検出し続ける。さらに、図４に示すフローには示していないが、画像処理部１７は、スルー画像の画像データからホワイトバランスに基づく色温度を算出する。そして、ＣＰＵ２５は、色温度に基づいて、例えば、晴天下の撮影であると判断する。
【００８０】
ステップＳ２０２：ＣＰＵ２５は、レリーズ釦２２が半押しされたか否かを判定する。レリーズ釦２２が半押しされていない場合（ステップＳ２０２：Ｎｏ）、ＣＰＵ２５は、ステップＳ１０１の処理に戻る。一方、レリーズ釦２２が半押しされた場合（ステップＳ２０２：Ｙｅｓ）、そして、ＣＰＵ２５は、ステップＳ２０３の処理に移行する。
【００８１】
ステップＳ２０３：ＣＰＵ２５の撮影条件取得部２５ｂは、スルー画像のデータを用いて、撮影パラメータ（ＩＳＯ感度の値、絞り値、シャッタスピード等）を本画像の撮影条件として算出する。
【００８２】
ステップＳ２０４：ＣＰＵ２５の輝度検出部２５ｄは、撮像素子１４が出力するスルー画像に基づいて、顔検出部２５ａが検出した顔の領域の輝度分布を検出する。推定部２５ｅは、半押し時のスルー画像から輝度分布に基づいて、顔の領域から影の領域を推定する。
【００８３】
図５は、推定部２５ｅによる影の領域を推定する処理を説明する図である。推定部２５ｅは、図５に示す人物Ａの顔の輝度分布に基づいて、ＥＶ（Ｅｘｐｏｓｕｒｅ  ｖａｌｕｅ）値で適正値（適正露出値）を０ＥＶ（基準）として、−２ＥＶ以上の差のある領域を影の領域として抽出する。そして、ＣＰＵ２５は、ステップＳ２０５の処理に移行する。
【００８４】
ステップＳ２０５：設定部２５ｃは、図３に示すテーブルメモリ１００を参照する。ここで、晴天下の撮影であって、顔の中に影がある場合、設定部２５ｃは、撮影条件４の欄を参照する。この場合、ＣＰＵ２５は、美容化補正処理モードの非選択時よりも閃光発光の発光量を弱くするソフト発光を強制的に行うモデルモード（日中シンクロモード）を示すアイコンを表示モニタ２０に表示させる。そして、ユーザからのモデルモードによる撮影の選択入力を受け付ける。このモデルモードでは、通常、閃光発光すると瞳の中にいわゆるキャッチライトが生成する。
【００８５】
なお、ＣＰＵ２５は、被写体が閃光発光の届かない距離にいる場合については、以下の処理を行う。ＣＰＵ２５は、例えば、コンパクトタイプの電子カメラでフル発光時のガイドナンバー（ＧＮ）の値が１０であった場合、被写体距離が３．５ｍ以上であれば、モデルモードのアイコンを表示モニタ２０に表示させない。この場合、ＣＰＵ２５は、モデルモードをオフとして撮影する。
【００８６】
ステップＳ２０６：ＣＰＵ２５は、撮影条件４のモデルモードがオンの場合、閃光発光を行うため（ステップＳ２０６：Ｙｅｓ）、ステップＳ２０７の処理に移行する。ここで、ステップＳ２０３での撮影パラメータの算出において、例えば、適正露出の撮影パラメータが、ＩＳＯ感度の値：１００、絞り値：Ｆ４、シャッタスピード：（１／１２５）秒の場合、通常では、閃光発光は行われない。しかし、美容化補正処理モード下において、設定部２５ｃは、影の領域を少なくするため、閃光発光を行う判定をする。例えば、ＩＳＯ感度の値：１００、絞り値：Ｆ４、被写体距離が１ｍの場合、ガイドナンバー（ＧＮ）自体の適正値は、４になる。この場合、美容化補正処理モード下において、ＣＰＵ２５は、ＩＳＯ感度の値：１００、絞り値：Ｆ４、シャッタスピード：（１／１２５）秒、ガイドナンバー（ＧＮ）：２でソフト発光を行うこととする。
【００８７】
一方、ＣＰＵ２５は、撮影条件４のモデルモードがオフの場合、閃光発光を行わないため（ステップＳ２０６：Ｎｏ）、ステップＳ２０８の処理に移行する。
【００８８】
ステップＳ２０７：設定部２５ｃは、モデルモードがオンの場合、さらに、ノーマル又はスペシャルの制御条件を設定する。ノーマルの場合と比較してスペシャルの場合、設定部２５ｃは、いわゆるＥＶ線図に基づいて例えば露出を一段落とした設定を行う。これにより、モデルモード（スペシャル）がオンの場合、ＣＰＵ２５は、風景等（背景）が無限大のとき、空等を鮮やかにするため露出を一段落として撮影を行うことになる。
【００８９】
ステップＳ２０８：ＣＰＵ２５は、レリーズ釦２２を介して全押し操作の指示入力を受け付けると、本画像を取得する処理に移行する。例えば、ＣＰＵ２５は、モデルモードがオンの場合には日中シンクロ撮影を行う。ただし、ＣＰＵ２５は、スペシャルの条件下では露出を一段落として撮影を行う。また、ＣＰＵ２５は、ノーマル及びスペシャルの条件下で、瞳の中にキャッチライトを生成させる。
【００９０】
図６は、モデルモードで撮影して得られた本画像の一例を説明する図である。図６（ａ）はモデルモード（ノーマル）を示し、図６（ｂ）は、モデルモード（スペシャル）を示している。なお、図６では、人物Ｂの背景の空Ｓの青色を濃淡で表現している。スペシャルの条件下では、背景の空Ｓがより青くなる。これにより、顔の美容化補正処理において、本実施形態では、図６に示す背景の空Ｓの色を人物Ｂの顔に対して相対的に際立たせる効果を得ることができる。
【００９１】
また、モデルモードがオフの場合、ＣＰＵ２５は、閃光撮影を行わない。ＣＰＵ２５は、顔の領域に影ができやすくなるため、本画像の顔の領域等に対して階調補正や露出補正等を行う。これにより、顔の領域が明るくなる。
【００９２】
なお、ステップＳ２０９〜ステップＳ２１２の処理は、図２に示すフローのステップＳ１０９〜ステップＳ１１２の処理と同様であるので説明を省略する。そして、ＣＰＵ２５は、図４に示すフローを終了させる。
【００９３】
以上より、撮影条件４では、晴天下の撮影であって、例えば、顔の中に影ができる場合、発光量を通常よりも弱くするソフト発光を強制的に行う。これにより、被写体の顔に影が起こりにくくなる。その結果、画像処理部１７は、顔の美容化補正処理をより高めることができる。
【００９４】
なお、モデルモードに入る閾値（顔領域内の適正露出とアンダーとの差）は、男性と女性で変更しても良い。例えば、男性は上記の差を大きくしても良い。また、キャッチライトが入らない場合、ステップＳ１１１で、画像処理部１７は、瞳の中にキャッチライトを入れるようにしても良い。
【００９５】
以上、本実施形態の電子カメラ１は、記録用の本画像の撮影条件に基づいて、美容化補正処理モード用の閃光発光の制御条件を設定する。例えば、本実施形態の電子カメラ１は、美容化補正処理モード下の撮影において、ＩＳＯ感度を上げる等して閃光発光の使用を制限する。これにより、本実施形態の電子カメラ１は、閃光発光が及ぼす影響を考慮して、人物の顔の補正処理を行うことができる。
＜実施形態の補足事項＞
（１）本実施形態では、プログラムオート撮影を用いてＩＳＯ感度を固定にした場合を説明したが、例えば、絞り優先モードやシャッタスピード優先モードの撮影を用いても良い。
（２）本実施形態では、適正値（適正露出値）に対して影の領域を推定したが、例えば、ポートレート撮影用の適正露出値であっても良い。例えば、ＣＰＵ２５は、女性の場合、適正露出値＋（１／２）ＥＶの値を適正露出値としても良い。また、ＣＰＵ２５は、男性の場合、適正露出値−（１／２）ＥＶの値を適正露出値としても良い。なお、性別の判定は、顔検出部２５ａに行われることとする。
（３）本実施形態では、撮影条件４の場合、顔の領域を首まで含めても良い。つまり、本実施形態では、顔の領域と連続する肌色部分を顔領域としても良い。閃光発光の照射角度によっては、顎の影が首に映る場合があるためである。
（４）本実施形態では、撮影条件４で説明した、閃光発光の発光量（ガイドナンバー（ＧＮ））の下げ率は一例であり、上記以外でも良い。
（５）本実施形態では、撮影パラメータとして、ＩＳＯ感度の値、シャッタスピード、絞り値、ガイドナンバー（ＧＮ）値等を用いたが、この組み合わせは一例であり、例えば、他の撮影パラメータの値を採用しても良い。
【符号の説明】
【００９６】
１・・・電子カメラ、１４・・・撮像素子、１７・・・画像処理部、２５ａ・・・顔検出部、２５ｂ・・・撮影条件取得部、２５ｃ・・・設定部、２５ｄ・・・輝度検出部、２５ｅ・・・推定部
【図１】
2013179464.tif 000003
【図２】
2013179464.tif 000004
【図３】
2013179464.tif 000005
【図４】
2013179464.tif 000006
【図５】
2013179464.tif 000007
【図６】
2013179464.tif 000008